(57)【要約】【課題】雨樋などを通して集めた雨水を溜めて、庭やプランターの植物栽培や打ち水などの散水に有効利用することを目的とした、庭の景観や街並に馴染む木製である、在庫や運搬が容易である、組立てや分解が容易である、比較的安価である、メンテナンスが容易である、組み立て式雨水貯水槽を提供する。【解決手段】予め数珠繋ぎにした複数の短冊形側面木板と多角形状の底板から形成した筒状胴体部を外側バンドで緊縛し、筒状胴体部内に防水袋を収め、内側バンドを挿入して防水袋の開口部を形成するとともに筒状胴体部の内径を保持し、防水袋に設けた配管継手に雨水の導入出のための配管を行う。このような雨水貯水槽の組み立て部材を、折り畳み重ね合わせて嵩を減らした状態で在庫、運搬し、設置時に完成体に組み立てるようにする。【選択図】図２
2012112225.tif 000002
【特許請求の範囲】
【請求項１】
多角形状に形成された底板、この底板を嵌め込む内側溝を内面に有し、この内側溝に底板を嵌め込むことにより連なり筒状胴体部を形成する複数の短冊形側面木板、この短冊形側面木板の外側面に設けた凹溝に嵌め込まれ筒状胴体部の外周を緊縛する外側バンド、筒状胴体部内に収められ雨水を貯水する防水袋、この防水袋の開口縁部に設けられ防水袋の開口部を形成するとともに筒状胴体部の内径を保持するため筒状胴体部の内壁面に挿入する内側バンド、及び防水袋に設けられた配管継手とともに溜まった雨水を外部へ導出する開閉弁付配水管を備え、
前記外側バンドは、前記凹溝内に嵌め込まれ複数の短冊形側面木板を予め数珠繋ぎにする補助バンドと、締め付け具を有し前記凹溝の溝幅より大径な主バンドで構成され、
補助バンドを凹溝に嵌め込み複数の短冊形側面木板を数珠繋ぎにした後、底板の多角辺を内側溝に嵌め込むことにより筒状胴体部を形成し、さらに補助バンドが嵌め込まれた凹溝に主バンドを嵌め込み且つ締め付け具で締め付けて、凹溝の側壁上縁部を押圧した状態で筒状胴体の外周面を緊縛し、内側バンドで防水袋を筒状胴体部内に取り付けたことを特徴とする組み立て式雨水貯水槽。
【請求項２】
上枠と下枠を十字型に嵌め合わすことにより自立する脚部を備え、脚部の上部に設けた凹凸に筒状胴体部の底部を嵌め込んで据えることができる、請求項１の組み立て式雨水貯水槽。
【発明の詳細な説明】
【技術分野】
【０００１】  本発明は、雨樋などを通して集めた雨水を溜めて、庭やプランターの植物栽培や打ち水などの散水に有効利用することを目的とした、住宅などでの小規模な雨水利用に供するための組み立て式雨水貯水槽に関する。
【背景技術】
【０００２】  雨樋などを通して集めた雨水を溜めて、庭やプランターの植物栽培や打ち水などの散水に有効利用する家庭が増えている。従来、これらの目的には、容量１００リットルから３００リットルほどの容器が雨水貯水槽として供されている。【０００３】  上述の用途の雨水貯水槽では、プラスチック製のものが主流である。この他に金属製や、樽をはじめ木製のものもある。
【先行技術文献】
【実用新案文献】
【０００４】
【実用新案文献１】
実用新案登録第３１３７０４０号
【０００５】
【実用新案文献２】
実用新案登録第３１４７９８９号
【発明の概要】
【発明が解決しようとする課題】
【０００６】  以上に述べたプラスチック製や金属製の雨水貯水槽は、ゴミ箱やコンポストのように住宅の裏側に設置するものであり、庭の景観や街並に馴染むものは少ない。一方、樽をはじめ木製の雨水貯水槽には美しいものもあるが、重く嵩張るために運搬や設置に多くの労力が要る、組み立てに専門技術が要るなど、市場に広く流通するには問題が残る。【０００７】  そこで、本発明の目的は、庭の景観や街並に馴染む木製である、在庫や運搬が容易である、組立てや分解が容易である、比較的安価である、メンテナンスが容易である、などの要件を満たした、組み立て式雨水貯水槽を提供することにある。
【課題を解決するための手段】
【０００８】  上記目的を達成すべく、請求項１に記載の発明は、多角形状に形成された底板、この底板を嵌め込む内側溝を内面に有し、この内側溝に底板を嵌め込むことにより連なり筒状胴体部を形成する複数の短冊形側面木板、この短冊形側面木板の外側面に設けた凹溝に嵌め込まれ筒状胴体部の外周を緊縛する外側バンド、筒状胴体部内に収められ雨水を貯水する防水袋、この防水袋の開口縁部に設けられ防水袋の開口部を形成するとともに筒状胴体部の内径を保持するため筒状胴体部の内壁面に挿入する内側バンド、及び防水袋に設けられる配管継手とともに溜まった雨水を外部へ導出する開閉弁付配水管を備え、
前記外側バンドは、前記凹溝内に嵌め込まれ複数の短冊形側面木板を予め数珠繋ぎにする補助バンドと、締め付け具を有し前記凹溝の溝幅より大径な主バンドで構成され、
補助バンドを凹溝に嵌め込み複数の短冊形側面木板を数珠繋ぎにした後、底板の多角辺を内側溝に嵌め込むことにより筒状胴体部を形成し、さらに補助バンドが嵌め込まれた凹溝に主バンドを嵌め込み且つ締め付け具で締め付けて、凹溝の側壁上縁部を押圧した状態で筒状胴体の外周面を緊縛し、内側バンドで防水袋を筒状胴体部内に取り付けたものである。【０００９】  請求項２に記載の発明は、請求項１の組み立て式雨水貯水槽に、上枠と下枠を十字型に嵌め合わすことにより自立する脚部を備え、脚部の上部に設けた凹凸に筒状胴体部の底部を嵌め込んで据えることができるようにしたものである。
【発明の効果】
【００１０】  請求項１から出る効果は、次の５点である。すなわち、１点目に、雨水貯水槽の外観の素材が木材であるため、庭の景観や街並に馴染むことである。２点目に、雨水貯水槽を、数珠繋ぎにした短冊形側面木板、底板、外側バンド、内側バンド、防水袋、開閉弁付配水管、等の部材に分割し、各々の部材を平たく広げたり折り畳み重ね合わせたりすることで嵩を著しく減らした状態で出荷し、設置時に完成体に組み立てることができるため、在庫や運搬が容易になることである。３点目に、雨水貯水槽を構成する数珠繋ぎにした短冊形側面木板、底板、外側バンド、内側バンド、防水袋、開閉弁付配水管、等の部材の組み立ては、専門的な技術や特殊な工具を使わずに容易に行うことができ、また、解体しても部材を損なうことがなく、移設も容易に行えることである。４点目に、雨水貯水槽の防水方法は、防水袋を筒状胴体部内に収めるだけなので、緻密な木材加工やコーキング加工を施す必要がなく、杉や桧の間伐材を用いることも可能であり、比較的安価な木製雨水貯水槽を提供できることである。５点目に、都市部の排気ガスによる油汚れが著しい場合は、防水袋を取出して洗浄あるいは交換することができ、ろ過装置を後付けすることもできるため、メンテナンスが容易なことである。【００１１】  請求項２から出る効果は、次の２点である。すなわち、１点目に、脚部は、上枠と下枠を十字型に嵌め合わすだけで自立し、脚部の上部に設けた凹凸に筒状胴体部の底部を嵌め込んで据えるだけで、容易に組み立てができることである。２点目に、脚部は、上枠と下枠に分けると平たくなるため、雨水貯水槽と同梱してもなお在庫や運搬が容易に行えることである。
【図面の簡単な説明】
【００１２】
【図１】本発明の実施形態を示す雨水貯水槽の外観斜視図。
【図２】図１に示す雨水貯水槽を組み立て部材に分解した斜視図。
【図３】図１に示す雨水貯水槽を組み立て部材にして嵩を減らした状態を表す斜視図。
【図４】図１に示す雨水貯水槽の縦断面図。
【図５】図４に示す短冊形側面木板の凹溝と外側バンドの関係を表す縦断面部分拡大図。
【図６】図４に示す短冊形側面木板と主バンドの関係の変化を表す横断面部分拡大図。
【図７】図１に示す雨水貯水槽の別の作用を表した縦断面図。
【図８】図１に示す雨水貯水槽にろ過装置を取り付けた状態を表した縦断面図。
【図９】図１に示す雨水貯水槽の安全対策で蓋の開口制限の例を表した横断面図。
【発明を実施するための形態】
【００１３】  以下、本発明の実施の形態を図１〜図９に基づいて説明する。
【００１４】  図１において、雨水貯水槽の外観を表している。木製の１６角柱型の筒状胴体部５の外周を上下２ヶ所においてステンレス線材製の１６角形の外枠（外側バンドの主バンド）６で緊縛し、蛇口（開閉弁付配水管）１２を備え、ホース１８を介して雨水集水装置１９に接続し、開口部に１６角形の木板の蓋１６を嵌め落として封じ、ステンレス線材製の十字型の脚部１４の上に据えて安全対策の脚部固定ネジ１５で固定している。木部は、例えば、杉または桧の間伐材で防腐剤加圧注入材である。
【００１５】  図２において、図１に示す雨水貯水槽を、数珠繋ぎにした短冊形側面木板３、底板４、外枠（外側バンドの主バンド）６、内枠（内側バンド）８、防水袋１０、脚部１４、等の組み立て部材に分解して表している。以下、個々の組み立て部材について説明する。
【００１６】  数珠繋ぎにした短冊形側面木板３は、短冊形側面木板１の外側面に設けた上下２列の凹溝１ｂの内部に２本の紐（外側バンドの補助バンド）２をそれぞれ嵌め込むことによって、１６枚の短冊形側面木板１を予め連ねたものである。凹溝１ｂの幅は紐（外側バンドの補助バンド）２が嵌まる幅で、凹溝１ｂの底に接着剤を入れた後に紐（外側バンドの補助バンド）２を底まで嵌め込む。紐（外側バンドの補助バンド）２は、例えばテトロンロープである。このように数珠繋ぎにした短冊形側面木板３は、平に広げることも、蛇腹状に折り曲げて自立させることもでき、また外側面と外側面を合わせて折り畳むこともできる。１６枚の短冊形側面木板１の内側面下部には底板を嵌め込む内側溝１ｃが１列設けてある。１６枚の短冊形側面木板１の内、筒状胴体部５の正面に当たる１枚には下方に、背面に当たる１枚には上方に、配管継手１１を通すための貫通穴１ｄが開けてあり、貫通穴１ｄの内側面には溝１ｅがある。また、１６枚の短冊形側面木板１の内、筒状胴体部５の右前、右奥、左前、左奥に当たる４枚の内側面上部には、内枠（内側バンド）８を受ける突起９をねじ込むための下穴１ｆが開けてあり、外側面下部には、脚部１４を固定するためのネジ用下穴１ｇが開けてある。
【００１７】  底板４は、１６角形で、短冊形側面木板１の内側面下部の内側溝１ｃに嵌まる厚みで、外径寸法は、短冊形側面木板１の板目方向の収縮を考慮し、筒状胴体部５の内径寸法に内側溝１ｃの深さを足した寸法よりも小さく設定している。
【００１８】  外枠（外側バンドの主バンド）６は２本ある。ステンレス線材製で、１６角形の一辺の中央が開いた形状で、開いた線の両端部を鉤の手状に曲げ加工し、２つの同心の輪６ｂをそれぞれに設けている。一つの輪６ｂにはナット（締め付け具）６ｃを溶接し、もう一つの輪６ｂからボルト（締め付け具）７を通して締め、外枠（外側バンドの主バンド）６の径が調節できるようにしてある。外枠（外側バンドの主バンド）６の基準内径寸法は筒状胴体部５の外径寸法より小さく設定してあり、ボルト（締め付け具）７を緩めた外枠（外側バンドの主バンド）６を弾性により広げて筒状胴体部５にかぶせ、紐（外側バンドの補助バンド）２が嵌め込まれた凹溝１ｂに重ねて嵌めて係止させることができる。外枠（外側バンドの主バンド）６の径の調節範囲は、短冊形側面木板１の板目方向の収縮を考慮して十分に設けている。
【００１９】  内枠（内側バンド）８は１本で、ステンレス線材製の閉じた１６角形である。内枠（内側バンド）８の外径寸法は、短冊形側面木板１の板目方向の収縮を考慮し、筒状胴体部５の内径寸法よりも小さく設定している。
【００２０】  防水袋１０は、軟質樹脂製で、円形底まち付きの円筒形である。防水袋１０の正面下方と背面上方の２カ所に配管継手用穴１０ｂが開けてあり、回転止めの凸部１１ｂの付いた配管継手１１が取り付けてある。また、防水袋１０の開口部付近の右前、右奥、左前、左奥に当たる側面には、短冊形側面木板１にねじ込む突起９に掛けるための小穴１０ｃが等間隔で開けてある。
【００２１】  脚部１４は、ステンレス線材を曲げ加工した同形の２本の小枠１４ｂを上部で溶接した上枠１４ｄと、同じく２本の小枠１４ｂを下部で溶接した下枠１４ｅから成る。上枠１４ｄと下枠１４ｅはともに中間材を介して２本の小枠１４ｂを溶接しているため、上枠１４ｄには下端の開いたスリット１４ｆ、下枠１４ｅには上端の開いたスリット１４ｆがある。上枠１４ｄと下枠１４ｅのスリット１４ｆを嵌め合わせて、十字型の脚部１４に組み立てる。４本の小枠１４ｂにはステンレス線材の一端を伸ばした凸部１４ｃがあるため、十字型の脚部１４に組み立てた時に４つの凸部１４ｃが互いに突っ張りあって、上枠１４ｄと下枠１４ｅの交差角度を直角に保つことができる。脚部１４の上部の凹凸１４ｇは、筒状胴体部５の上げ底と嵌め合わさる形状であり、さらに安全対策として、ネジ取り付け部１４ｈを介して脚部固定ネジ１５で筒状胴体部５に留めることができる。
【００２２】  蓋１６は、１６角形の木板で、外径寸法は、短冊形側面木板１の板目方向の収縮を考慮し、筒状胴体部５の内径寸法よりも小さく設定している。蓋の中央に貫通穴を開けて持ち手１６ｂである紐を通し、蓋の裏には木の角材が反り止め材１６ｃとして取り付けてある。
【００２３】  図３において、図１に示す雨水貯水槽を、数珠繋ぎにした短冊形側面木板３、底板４、外枠（外側バンドの主バンド）６、内枠（内側バンド）８、防水袋１０、脚部１４、等の組み立て部材に分解し、嵩を減らして置いた状態を表している。数珠繋ぎにした短冊形側面木板３を平に広げ、傷防止のために外側面と外側面を合わせて４つに折り畳み、その上に、脚部１４を上枠１４ｄと下枠１４ｅに分割して並べ置き、さらにその上に、２本の外枠（外側バンドの主バンド）６と内枠（内側バンド）８、蓋１６、底板４を重ねて置き、諸部品を間隙に入れ、防水袋１０と合わせている。図３の状態にすると、図１の状態に比べて３分の１以下の嵩に小さくすることができる。
【００２４】  図４において、図１に示す雨水貯水槽の縦断面を表している。以下、図２、図３において示した分解した組み立て部材から雨水貯水槽を組み立てる方法と、図１に示す雨水貯水槽の作用を説明する。
【００２５】  まず、数珠繋ぎにした短冊形側面木板３と底板４から１６角柱型の筒状胴体部５を組み立て、外枠（外側バンドの主バンド）６で締め付ける方法を述べる。数珠繋ぎにした短冊形側面木板３を蛇腹状に折り曲げて自立させた上で、内側面下部の内側溝１ｃに底板４の多角辺を嵌め込みながら、数珠繋ぎにした短冊形側面木板３を底板４に巻いて、１６角柱型の筒状胴体部５を形成する。この後、ボルト（締め付け具）７を緩めた２本の外枠（外側バンドの主バンド）６を弾性により広げて筒状胴体部５にかぶせ、紐（外側バンドの補助バンド）２が嵌め込まれた上下２列の凹溝１ｂにそれぞれ嵌め合わせ、ボルト（締め付け具）７を締めて仮組みする。
【００２６】  次に、防水袋１０を筒状胴体部５の内部に入れ、内枠（内側バンド）８で取り付ける方法を述べる。まず、筒状胴体部５の内側面上部にある４カ所の突起用下穴１ｆに、スペーサー９ｂとタッピンネジ９ｃから成る突起９をねじ込んでおく。防水袋１０に取り付けた配管継手１１と短冊形側面木板の配管継手用貫通穴１ｄの向きを合わせて、防水袋１０を筒状胴体部５の内部に入れ、防水袋１０の開口部付近の４カ所の突起用小穴１０ｃをそれぞれ突起９に掛ける。内枠（内側バンド）８を、防水袋１０の内側に入れて、突起９の上に水平に置き、防水袋１０の開口部を形成するとともに筒状胴体部５の内径を保持する。
【００２７】  その後、２本の外枠（外側バンドの主バンド）６のボルト（締め付け具）７を締め付けて、凹溝１ｂの側壁上縁部を押圧した状態で筒状胴体部５の外周面を緊縛する。
【００２８】  ３番目に、筒状胴体部５に配管継手１１を取り付ける方法を述べる。角張っていない板などを使って防水袋１０が筒状胴体部５の内側に沿うように均し、２カ所の配管継手１１を短冊形側面木板の配管継手用貫通穴１ｄに挿入し、軽く押して回転止め凸部１１ｂを貫通穴１ｄの溝１ｅに嵌め、筒状胴体部５の外側から蛇口（開閉弁付配水管）１２とホースニップル１３をそれぞれ取り付ける。
【００２９】  ４番目に、筒状胴体部５に脚部１４を取り付ける方法を述べる。脚部の上枠１４ｄと下枠１４ｅを、スリット１４ｆを嵌め合わせて十字型に組んで立てる。脚部のネジ取り付け部１４ｈと短冊形側面木板の脚部固定ネジ用下穴１ｇの位置を合わせて、筒状胴体部５を脚部１４の上に嵌め合わせ、４本の脚部固定ネジ１５で固定する。
【００３０】  最後に、筒状胴体部５の開口部に蓋１６を嵌め落とし、設置場所に据え置き、雨水集水装置１９とホースニップル１３をホース１８で繋ぐ。
【００３１】  さらに、転倒防止策として、下記の２通りの策を用意している。
【００３２】  一つは、上側の外枠用ボルト（締め付け具）７にワイヤー２１を取り付けて柱などに繋ぐ方法である。もう一つは、アンカーボルト２２と折れ金物２３を使って脚部１４の線材を挟み、地面に固定する方法である。
【００３３】  図４に示す雨水貯水槽の作用は、下記の通りである。
【００３４】  縦樋２０を通り雨水集水装置１９で分流した雨水を、ホース１８を介して溜め、蛇口（開閉弁付配水管）１２から導出して利用に供することである。雨水集水装置１９にオーバーフロー機能が備わっている場合は、雨水貯水槽にオーバーフロー管を設ける必要はない。雨水集水装置１９にオーバーフロー機能が備わっていない場合は、３カ所目の配管継手１１を設け、オーバーフロー管２４を配管し、浸透枡２５等に溢れた雨水を導出することができる。
【００３５】  図５において、図４に示す短冊形側面木板の外側面の凹溝１ｂと紐（外側バンドの補助バンド）２と外枠（外側バンドの主バンド）６の関係を拡大して表している。凹溝１ｂの幅は紐（外側バンドの補助バンド）２の太さとほぼ等しく、凹溝１ｂの深さは紐（外側バンドの補助バンド）２の太さよりも深い。そのため、筒状胴体部５の外径寸法より小さい内径寸法を持つ外枠（外側バンドの主バンド）６を、紐（外側バンドの補助バンド）２を嵌め入れた凹溝１ｂに重ねて嵌めて係止させることができる。さらに、外枠（外側バンドの主バンド）６を外枠用ボルト（締め付け具）７で締め付けて筒状胴体部５を緊縛すると、外枠（外側バンドの主バンド）６は凹溝１ｂの側壁上縁部を押圧した状態となり、外枠（外側バンドの主バンド）６が凹溝１ｂに嵌まり込む寸法はＡとなる。
【００３６】  図６において、図４に示す短冊形側面木板１と外枠（外側バンドの主バンド）６の関係の変化を拡大して表している。短冊形側面木板１が天然木であると、乾燥材であっても日射等によりさらに収縮する。図６（ア）は、短冊形側面木板１が収縮する前の状態であり、図６（イ）は２％収縮したときに外枠用ボルト（締め付け具）７でさらに締め付けた状態である。図５に示したように、収縮する以前において外枠（外側バンドの主バンド）６が凹溝１ｂにＡの寸法で嵌まり込んでいるため、外枠（外側バンドの主バンド）６が締め付けにより変形して短冊形側面木板１と平行な位置関係を保たなくなっても、外観を損ねることがない。また、隣り合う短冊形側面木板１の間に生じる隙間に関しては、筒状胴体部５に防水袋１０を内装しているため機能上の問題はなく、隙間による筒状胴体部５のぐらつきも内部に水を溜めることで水圧により解消する。
【００３７】  図７において、図１に示す雨水貯水槽の別の作用を表している。配管継手１１を筒状胴体部５の外周面だけでなく底部にも設けることができ、多様な使用方法を提供することができる。防水袋１０の底面に取り付けた配管継手１１を底板４の配管継手用貫通穴４ｂに通し、ホースニップル１３とホース１８を接続する。例えば、２カ所設けた配水管の内１本を遠隔の雨水集水装置に接続し、もう１本を自動灌水装置（開閉弁付配水管）２７に接続すると、雨水貯水槽を縦樋から離れた任意の場所に設置でき、植物への水やりを自動的に行うことができる。また、２台以上の雨水貯水槽のホース１８を接続して貯水量を増やすこともできる。さらに、雨水を導出する配管継手１１の防水袋１０内側に管２６を接続して立て、沈下したごみを排水しないようにすることもできる。
【００３８】  図８において、図１に示す雨水貯水槽にろ過装置２８を取り付けた状態を表している。筒状胴体部５内の防水袋１０の内側にろ過装置２８を入れ、雨水を導入する配管継手１１に接続する。ろ過装置２８の内部には、例えば、ごみを沈殿させる砂利やフィルターが入っており、設置環境による雨水の汚れ具合に応じてろ過装置２８を後付けすることができる。
【００３９】  図９において、図１に示す雨水貯水槽の安全対策で蓋１６の開口制限を行った例を表している。筒状胴体部５の内側面上部にある４カ所の突起用下穴１ｆに、スペーサー９ｂの付いたタッピンネジ９ｃの代わりに、スペーサー９ｂの付いたヒートン３１をねじ込み、蓋の反り止め材１６ｃの中央に貫通穴１６ｄを開けて樹脂パイプ１７を嵌め込んでおく。紐３２を４カ所のヒートン３１と樹脂パイプ１７を経由してタスキ掛けになるように通し、紐３２の両端にコードストッパー３３を付ける。紐３２の長さ調節で蓋１６の持ち上げ高さを変えることができる。上記のような開口制限を設けることで、幼児の筒状胴体部５への転落を防ぐことができる。
【符号の説明】
【００４０】１．    短冊形側面木板
１ｂ．  短冊形側面木板の外側面の凹溝
１ｃ．  短冊形側面木板の内側溝
１ｄ．  短冊形側面木板の配管継手用貫通穴
１ｅ．  短冊形側面木板の配管継手用貫通穴の溝
１ｆ．  短冊形側面木板の突起用下穴
１ｇ．  短冊形側面木板の脚部固定ネジ用下穴
２．    紐（外側バンドの補助バンド）
３．    数珠繋ぎにした短冊形側面木板
４．    底板
４ｂ．  底板の配管継手用貫通穴
５．    筒状胴体部
６．    外枠（外側バンドの主バンド）
６ｂ．  外枠の輪
６ｃ．  外枠の溶接ナット（締め付け具）
７．    外枠用ボルト（締め付け具）
８．    内枠（内側バンド）
９．    突起
９ｂ．  スペーサー
９ｃ．  タッピンネジ
１０．  防水袋
１０ｂ．防水袋の配管継手用穴
１０ｃ．防水袋の突起用小穴
１１．  配管継手
１１ｂ．配管継手の回転止め凸部
１２．  蛇口（開閉弁付配水管）
１３．  ホースニップル
１４．  脚部
１４ｂ．脚部の小枠
１４ｃ．脚部の小枠の凸部
１４ｄ．脚部の上枠
１４ｅ．脚部の下枠
１４ｆ．脚部のスリット
１４ｇ．脚部の凹凸
１４ｈ．脚部のネジ取り付け部
１５．  脚部固定ネジ
１６．  蓋
１６ｂ．蓋の持ち手
１６ｃ．蓋の反り止め材
１６ｄ．蓋の反り止め材の貫通穴
１７．  樹脂パイプ
１８．  ホース
１９．  雨水集水装置
２０．  縦樋
２１．  ワイヤー
２２．  アンカーボルト
２３．  折れ金物
２４．  オーバーフロー管
２５．  浸透枡
２６．  管
２７．  自動灌水装置（開閉弁付配水管）
２８．  ろ過装置
２９．  砂利
３０．  フィルター
３１．  ヒートン
３２．  紐
３３．  コードストッパー
【図１】
2012112225.tif 000003
【図２】
2012112225.tif 000004
【図３】
2012112225.tif 000005
【図４】
2012112225.tif 000006
【図５】
2012112225.tif 000007
【図６】
2012112225.tif 000008
【図７】
2012112225.tif 000009
【図８】
2012112225.tif 000010
【図９】
2012112225.tif 000011